(57)【要約】【課題】簡易かつ安価な構成で、開閉構造の開閉動作においてケーブルが広がることを抑制し、また、ケーブルが引っ張られた際に機器からの緩みや外れを抑制する。【解決手段】開閉構造２の開動作により狭められる固定部２１と可動部２２との隙間に配置され、開放側が軸心方向に分断された筒状部材１１と、筒状部材１１の分断された箇所に互い違いに対向して設けられ、開閉構造２の開動作に伴い筒状部材１１を収縮させるよう内側に入り込む爪部１５ａ，１５ｂと、筒状部材１１に設けられ、爪部１５ａ間のスリット１４ａと連通されてケーブル４を当該筒状部材１１内に挿入可能とする楔型の穴１３とを備えた。【選択図】図１
2015041634.tif 000002
【特許請求の範囲】
【請求項１】
固定部および可動部からなる開閉構造に搭載された機器のケーブルを保持するケーブルホルダであって、
前記開閉構造の開動作により狭められる前記固定部と前記可動部との隙間に配置され、開放側が軸心方向に分断された筒状部材と、
前記筒状部材の分断された箇所に互い違いに対向して設けられ、前記開閉構造の開動作に伴い前記筒状部材を収縮させるよう内側に入り込む爪部と、
前記筒状部材に設けられ、前記爪部間のスリットと連通されて前記ケーブルを当該筒状部材内に挿入可能とする楔型の穴と
を備えたことを特徴とするケーブルホルダ。
【請求項２】
前記対向して設けられた爪部は、同一の幅に構成された
ことを特徴とする請求項１記載のケーブルホルダ。
【発明の詳細な説明】
【技術分野】
【０００１】
この発明は、固定部および可動部からなる開閉構造に搭載された機器のケーブルを保持するケーブルホルダに関するものである。
【背景技術】
【０００２】
従来から、ＰＣを設置する際に奥行をできるだけ小さくしたい場合、ＰＣを横向きに設置している。この場合、ＰＣに設けられている電源スイッチやＣＤなどの補助記憶装置、ＵＳＢポートなどは横面になってしまうため、アクセスする際にＰＣを手前に可動させる必要がある。一方、ＰＣの内部にはＨＤＤといった振動に弱いデバイスが搭載されているため、通常時には固定することが望ましい。そこで、ＰＣを搭載可能なブラケット（可動部）を設け、当該ブラケットをヒンジを介してケース（固定部）に連結し、扉のように手前に移動可能な開閉構造を用いている。
【０００３】
一方、ＰＣには多くのケーブルが接続されている。そのため、開閉構造を開く際にケーブルがブラケットとケースとの間に挟まり、損傷するなどの不具合を生じる恐れがある。したがって、開閉構造を開く際にケーブルが広がらないようにする必要がある。また、開閉構造を開く際にケーブルに引っ張られるような力がかかった場合、ＰＣのコネクタ接続部からの緩み、外れが生じる恐れがある。
【０００４】
そこで従来では、ケーブルが広がらないようにケーブルクランプや束線バンドにより束ねている。また、ケーブルが引っ張られた際に緩みや外れが生じることがないように、ケーブルに十分な緩みをつけて収納している（例えば特許文献１参照）。
【先行技術文献】
【特許文献】
【０００５】
【特許文献１】特開２００４−１０７９３１号公報
【発明の概要】
【発明が解決しようとする課題】
【０００６】
しかしながら、ケーブルクランプによるケーブルの固定では、ケーブルの軸心に垂直な方向には固定をすることができるが、軸心方向には固定することができないという課題がある。そのため、ケーブルが引っ張られると、その力がそのままＰＣのコネクタ接続部に伝わり、緩みや外れが生じる恐れがある。
また、束線バンドによる固定では、ケーブルの軸心方向にも固定することができる。しかしながら、機器の交換時など、ケーブルを外したいときには束線バンドを切断して、再度新しい束線バンドで固定しなおす必要があるという課題がある。
また、ケーブルに十分な緩みをつける方法では、開閉構造の開閉動作に応じてケーブルの巻き取りを行う巻き取り装置が必要となり、部品点数が増加するという課題がある。
【０００７】
この発明は、上記のような課題を解決するためになされたもので、簡易かつ安価な構成で、開閉構造の開閉動作においてケーブルが広がることを抑制でき、また、ケーブルが引っ張られた際に機器からの緩みや外れを抑制できるケーブルホルダを提供することを目的としている。
【課題を解決するための手段】
【０００８】
この発明に係るケーブルホルダは、開閉構造の開動作により狭められる固定部と可動部との隙間に配置され、開放側が軸心方向に分断された筒状部材と、筒状部材の分断された箇所に互い違いに対向して設けられ、開閉構造の開動作に伴い筒状部材を収縮させるよう内側に入り込む爪部と、筒状部材に設けられ、爪部間のスリットと連通されてケーブルを当該筒状部材内に挿入可能とする楔型の穴とを備えたものである。
【発明の効果】
【０００９】
この発明によれば、上記のように構成したので、簡易かつ安価な構成で、開閉構造の開閉動作においてケーブルが広がることを抑制でき、また、ケーブルが引っ張られた際に機器からの緩みや外れを抑制できる。
【図面の簡単な説明】
【００１０】
【図１】この発明の実施の形態１に係るケーブルホルダの構成を示す斜視図である。
【図２】この発明の実施の形態１に係るケーブルホルダの構成を示す図であり、（ａ）左側面図であり、（ｂ）正面図である。
【図３】この発明の実施の形態１に係るケーブルホルダの別の構成を示す図であり、（ａ）左側面図であり、（ｂ）正面図である。
【図４】この発明の実施の形態１に係るケーブルホルダの別の構成を示す斜視図である。
【図５】この発明の実施の形態１に係るケーブルホルダが開閉構造に取り付けられた状態を示す斜視図である。
【図６】この発明の実施の形態１に係るケーブルホルダの、開閉構造の開動作に伴う動きを示す上面図である。
【発明を実施するための形態】
【００１１】
以下、この発明の実施の形態について図面を参照しながら詳細に説明する。
実施の形態１．
図１はこの発明の実施の形態１に係るケーブルホルダ１の構成を示す斜視図である。
ケーブルホルダ１は、固定部２１および可動部２２からなる開閉構造２に搭載された機器３のケーブル４を保持するものである（図５参照）。なお図５では、機器３は開閉構造２の可動部２２に搭載されている。
【００１２】
このケーブルホルダ１は、開閉構造２の開動作により狭められる固定部２１と可動部２２との隙間に配置され、開放側が軸心方向に沿って分断された筒状部材１１を有している。なお実施の形態１のケーブルホルダ１では、筒状部材１１として角筒部材を用い、前面が左右に分断されている。そして、筒状部材１１の左側面が開閉構造２の可動部２２と接し、背面が開閉構造２の固定部２１と接する。
また、筒状部材１１の背面の略中央部分には、軸心方向に沿って筒状部材１１の内側に折れ曲り可能な折れ曲り部１２が設けられている。
【００１３】
また、筒状部材１１の左側面には、図２（ａ）に示すように、所定の間隔で楔型の穴１３ａが複数設けられている。この穴１３ａは、機器３のケーブル４を筒状部材１１内に挿入可能とするものである。また、穴１３ａを楔型とすることで、ケーブル４に引っ張り力が加えられた際に当該ケーブル４が穴１３ａの楔部分に食い込み、当該ケーブル４を固定することができる。
【００１４】
また、この穴１３ａには、図１に示すように、筒状部材１１の正面に向かってスリット１４ａが設けられている。そして、この所定の間隔で設けられたスリット１４ａにより爪部１５ａが構成されている。同様に、筒状部材１１の右側面側には、上記スリット１４ａと互い違いにスリット１４ｂが対向して設けられ、この所定の間隔で設けられたスリット１４ｂにより爪部１５ｂが構成されている。これらの爪部１５ａ，１５ｂは、開閉構造２の開動作に伴い筒状部材１１の内側に入り込むことで、筒状部材１１を収縮させるものである。
【００１５】
ここで、図２に示すように、楔型の穴１３ａとスリット１４ａとをそのまま連通させた場合、スリット１４ａと爪部１５ａとの幅が大きく異なるため、左右の爪部１５ａ，１５ｂの幅も大きく異なってしまう。この場合、爪部１５ａ，１５ｂの強度やケーブル保持力が左右で異なってしまう。
そこで、図３に示すように、楔型の穴１３ａとスリット１４ａとの連通部分１６を鋭角状にカットすることで、スリット１４ａと爪部１５ａとの幅を同一（略同一を含む）に構成する。これにより、左右の爪部１５ａ，１５ｂの幅を同一にすることができ、爪部１５ａ，１５ｂの強度やケーブル保持力を左右で略一致させることができる。また、上記連通部分１６を鋭角状にカットすることで、ケーブル４の穴１３ａへの出し入れが容易となる。
【００１６】
さらに、図４に示すように、右側面についても左側面と同様の楔形の穴１３ｂを設けるようにしてもよい。これにより、両側面においてケーブル４の保持が可能となり、また、上下を逆にしても使用することが可能となるため取り付け方向の制約をなくすことができる。
【００１７】
次に、上記のように構成されたケーブルホルダ１の動作について説明する。図５はこの発明の実施の形態１に係るケーブルホルダ１を開閉構造２に取り付けた状態を示す斜視図である。
ケーブルホルダ１は、図５に示すように、開閉構造２の開動作により狭められる可動部２２と固定部２１との隙間に配置されている。そして、可動部２２に搭載された機器３に接続されるケーブル４を保持する場合には、ケーブル４を、コネクタ側がケーブルホルダ１から突出して機器３側を向くようにケーブルホルダ１の正面からスリット１４ａを介して穴１３ａに入れ、ケーブル線側を筒状部材１１の内部に収納する。その後、ケーブル４のコネクタを機器３のコネクタ接続部に接続する。ここで、穴１３ａとスリット１４ａとを連通することで、モニタケーブルのような大きなコネクタがついたケーブル４であっても容易に穴１３ａに出し入れすることができる。
【００１８】
そして、開閉構造２が開くと、ケーブルホルダ１の左側面が可動部２２により押される。そして、この押圧力により、折れ曲り部１２が内側に折れ曲り、筒状部材１１の左右側面の爪部１５ａ，１５ｂが互いに内側に入り込むことで、ケーブルホルダ１を収縮させる（図６参照）。これにより、開閉構造２を開く際にケーブル４が広がることを抑制することができ、開閉構造２にケーブル４が挟まり損傷するなどの不具合が発生することを抑制できる。
【００１９】
また、開閉構造２には、可動部２２を所定の範囲以上を開くことができないようにするため、開度制限機構が設けられている。しかし、この開度制限機構が故障して機能しなくなったとしても、ケーブルホルダ１自体がクッションとなることで、可動部２２の開度を制限することができる。
【００２０】
また、開閉構造２が開く際にケーブル４がいずれかの方向に引っ張られたとしても、当該ケーブル４がケーブルホルダ１の穴１３ａの楔部分に食い込むことで固定される。これにより、ケーブル４が上記引っ張り力によって機器３のコネクタ接続部から緩んだり外れたりすることを抑制できる。
【００２１】
以上のように、この実施の形態１によれば、開閉構造２の開動作により狭められる固定部２１と可動部２２との隙間に配置され、開放側が軸心方向に分断された筒状部材１１と、筒状部材１１の分断された箇所に互い違いに対向して設けられ、開閉構造２の開動作に伴い筒状部材１１を収縮させるよう内側に入り込む爪部１５ａ，１５ｂと、筒状部材１１に設けられ、爪部１５ａ間のスリット１４ａと連通されてケーブル４を当該筒状部材１１内に挿入可能とする楔型の穴１３ａとを備えたので、簡易かつ安価な構成で、開閉構造２の開閉動作においてケーブル４が広がることを抑制でき、また、ケーブル４が引っ張られた際に機器３からの緩みや外れを抑制できる。
【００２２】
なお、本願発明はその発明の範囲内において、実施の形態の任意の構成要素の変形、もしくは実施の形態の任意の構成要素の省略が可能である。
【符号の説明】
【００２３】
１  ケーブルホルダ
２  開閉構造
３  機器
４  ケーブル
１１  筒状部材
１２  折れ曲り部
１３ａ，１３ｂ  穴
１４ａ，１４ｂ  スリット
１５ａ，１５ｂ  爪部
１６  連通部分
２１  固定部
２２  可動部
【図１】
2015041634.tif 000003
【図２】
2015041634.tif 000004
【図３】
2015041634.tif 000005
【図４】
2015041634.tif 000006
【図５】
2015041634.tif 000007
【図６】
2015041634.tif 000008